(57)【特許請求の範囲】
【請求項１】
鉄筋コンクリートからなる床スラブと、
該床スラブの上に互いに隣接して設けられた２つの住居空間と、
各住居空間において前記床スラブに支持具を介して支持された床板と、
前記床スラブと前記床板との間にあって前記住居空間の境界部分において前記床スラブに取外し可能に取り付けられた遮音材とを含み、
該遮音材は、前記住居空間の境界線の伸長方向に伸びる、帯状の平面形状を有するコンクリートからなる、建物。
【請求項２】
前記遮音材は、前記床スラブの上に互いに隣接して配置された複数のブロックからなる、請求項１に記載の建物。
【請求項３】
鉄筋コンクリートからなる床スラブと、該床スラブの上に互いに隣接して設けられた２つの住居空間とを有する建物において一方の住居空間で発生した床衝撃音が他方の住居空間へ伝搬するのを防止する遮音方法であって、
前記住居空間の境界部分における各住居空間において、帯状の平面形状を有するコンクリートからなる遮音材を、該遮音材が前記住居空間の境界線の伸長方向に伸びるように前記床スラブに取外し可能に取り付けること、
各住居空間において床板を、該床板が前記遮音材の上方に位置するように前記床スラブに支持具を介して支持することを含む、遮音方法。
【発明の詳細な説明】
【技術分野】
【０００１】
本発明は、遮音材を有する建物に関する。
【背景技術】
【０００２】
従来、建物には、鉄筋コンクリートからなる床スラブと、該床スラブの上に設けられた上階住居空間と、該上階住居空間において前記床スラブに支持具を介して支持された床板と、前記床スラブの下に設けられた下階住居空間とを含むものがある。
【０００３】
前記床板の上で子供が飛び跳ねたり、走り回ったりすることにより、前記床板に衝撃が加えられ、床衝撃音が発生することがある。このとき、前記衝撃により前記床板に振動が生じる。前記振動は、前記床板と前記床スラブとの間にある空気層を経て前記床スラブへ伝わり、該床スラブを経て前記下階住居空間へ伝わる。これにより、前記床衝撃音は前記下階住居空間へ伝搬する。このとき、前記振動により前記空気層が共振し、前記床スラブへ伝わる振動が増大する恐れがある。前記床スラブへ伝わる振動が増大すると、前記下階住居空間へ伝搬する床衝撃音が大きくなるという問題が生じる。
【０００４】
前記建物には、前記床スラブと前記床板との間にあって前記床スラブの上に互いに隣接して配置された複数のブロックを有するものがある（特許文献１参照）。前記ブロックは前記床スラブの全面に亘って存在し、隣接する２つのブロックは、互いに異なる高さを有する。これにより、前記空気層の厚さを不均一なものにし、前記空気層の固有振動数が前記振動の振動数と一致しないようにする。このため、前記空気層が共振して前記床スラブへ伝わる振動が増大することはなく、前記下階住居空間へ伝搬する床衝撃音が大きくなるのを防止することができる。
【特許文献１】特開２００５−９０２１８号公報
【発明の開示】
【発明が解決しようとする課題】
【０００５】
前記ブロックは、前記空気層の共振を防止して前記床スラブへ伝わる振動の増大を防ぐことはできるが、前記床スラブへ伝わった振動を低減させることはできない。このため、仮に、前記床スラブの上に前記上階住居空間に隣接して他の上階住居空間が設けられている場合、前記床スラブへ伝わった振動は、低減することなく、前記床スラブを経て前記他の上階住居空間へ伝わる。これにより、前記床衝撃音は、前記他の上階住居空間へ伝搬し、該他の上階住居空間にいる人に不快感を与える。
【０００６】
本発明の目的は、床スラブの上に互いに隣接して設けられた２つの住居空間のうち一方の住居空間で発生した床衝撃音が他方の住居空間へ伝搬するのを防止することである。
【課題を解決するための手段】
【０００７】
本発明は、前記住居空間の境界部分において前記床スラブに、前記住居空間の境界線の伸長方向に伸びる、帯状の平面形状を有する遮音材が取り付けられている。これにより、一方の住居空間で床衝撃音が発生したときに該一方の住居空間における床板から前記床スラブへ伝わった振動が該床スラブを経て他方の住居空間へ伝わる前に前記振動が前記床スラブから前記遮音材へ伝わり、前記振動のエネルギーが前記遮音材の振動により消費されるようにする。これにより、前記床スラブへ伝わった振動が前記他方の住居空間へ伝わるのを妨げ、前記床衝撃音が前記他方の住居空間へ伝搬するのを防止する。
【０００８】
本発明に係る建物は、鉄筋コンクリートからなる床スラブと、該床スラブの上に互いに隣接して設けられた２つの住居空間と、各住居空間において前記床スラブに支持具を介して支持された床板と、前記床スラブと前記床板との間にあって前記住居空間の境界部分において前記床スラブに取外し可能に取り付けられた遮音材とを含み、該遮音材は、前記住居空間の境界線の伸長方向に伸びる、帯状の平面形状を有するコンクリートからなる。
【０００９】
一方の住居空間における前記床板に衝撃が加えられて床衝撃音が発生したとき、前記衝撃により前記床板に振動が生じる。前記振動は、前記床板と前記床スラブとの間にある空気層及び前記支持具を経て前記床スラブへ伝わる。前記住居空間の境界部分において前記床スラブに、前記境界線の伸長方向に伸びる前記遮音材が取り付けられているため、前記床スラブへ伝わった振動が該床スラブを経て他方の住居空間へ伝わる前に前記振動が前記床スラブから前記遮音材へ伝わり、前記振動のエネルギーが前記遮音材の振動により消費される。これにより、前記床スラブへ伝わった振動が前記他方の住居空間へ伝わるのを妨げることができ、前記床衝撃音が前記他方の住居空間へ伝搬するのを防止することができる。
【００１０】
ところで、将来、前記境界線の位置を変えて前記建物内の間取りを変更する場合がある。前記遮音材が前記床スラブから取外し可能であるため、前記間取りの変更時に前記遮音材を前記床スラブから取り外して前記境界線の位置に応じて移動させることができる。このため、遮音材を新たに用意する必要がなく、遮音材を新たに用意する手間を要することなく前記間取りの変更を効率的に行うことができる。
【００１１】
前記遮音材は、前記床スラブの上に互いに隣接して配置された複数のブロックからなるものとすることができる。
【００１２】
本発明に係る、鉄筋コンクリートからなる床スラブと、該床スラブの上に互いに隣接して設けられた２つの住居空間とを有する建物において一方の住居空間で発生した床衝撃音が他方の住居空間へ伝搬するのを防止する遮音方法は、前記住居空間の境界部分における各住居空間において、帯状の平面形状を有するコンクリートからなる遮音材を、該遮音材が前記住居空間の境界線の伸長方向に伸びるように前記床スラブに取外し可能に取り付けること、各住居空間において床板を、該床板が前記遮音材の上方に位置するように前記床スラブに支持具を介して支持することを含む。
【発明の効果】
【００１３】
本発明によれば、床スラブと該床スラブの上に互いに隣接して設けられた２つの住居空間とを有する建物において、前記住居空間の境界部分において前記床スラブに、前記住居空間の境界線の伸長方向に伸びる、帯状の平面形状を有する遮音材が取り付けられている。このため、一方の住居空間で床衝撃音が発生したときに該一方の住居空間における床板から前記床スラブへ伝わった振動が該床スラブを経て他方の住居空間へ伝わる前に前記振動が前記床スラブから前記遮音材へ伝わり、前記振動のエネルギーが前記遮音材の振動により消費される。これにより、前記床スラブへ伝わった振動が前記他方の住居空間へ伝わるのを妨げることができ、前記床衝撃音が前記他方の住居空間へ伝搬するのを防止することができる。
【発明を実施するための最良の形態】
【００１４】
図１に示すように、鉄筋コンクリートからなる床スラブ１０と、該床スラブの上に互いに隣接して設けられた２つの住居空間１２とを有する建物１４が存在する。住居空間１２は、互いに隣接する２つの住戸でもよいし、１つの住戸における互いに隣接する２つの部屋でもよい。
【００１５】
建物１４は、住居空間１２を隔てる壁１６と、各住居空間１２において床スラブ１０に支持具１８を介して支持された床板２０と、床スラブ１０と床板２０との間に位置する遮音材２２とを有する。壁１６は、床スラブ１０の上に設けられており、平面で見て住居空間１２の境界線上に位置する。遮音材２２は、帯状の平面形状を有するコンクリートからなり、住居空間１２の境界部分において床スラブ１０に取外し可能に取り付けられている。遮音材２２は前記境界線の伸長方向に伸びる、すなわち壁１６の幅方向（図１における奥行き方向）に伸びる。
【００１６】
遮音材２２は、例えば、床スラブ１０の厚さの約１／６倍ないし約１倍に相当する高さと、床スラブ１０の厚さの約１／２倍ないし約１倍に相当する幅とを有する。仮に、床スラブ１０の厚さが約３０ｃｍであるとき、遮音材２２の高さは約５ｃｍないし約３０ｃｍであり、遮音材２２の幅は約１５ｃｍないし約３０ｃｍである。遮音材２２は、前記境界線の長さ、すなわち壁１６の幅に相当する長さを有する。
【００１７】
ところで、一方の住居空間１２において、床板２０の上で子供が飛び跳ねたり、走り回ったりして、床板２０に衝撃が加えられ、床衝撃音が発生することがある。このとき、前記衝撃により床板２０に振動が生じる。前記振動は、床板２０と床スラブ１０との間に位置する空気層２４及び支持具１８を経て床スラブ１０へ伝わる。住居空間１２の境界部分において床スラブ１０に、前記境界線の伸長方向に伸びる遮音材２２が取り付けられているため、床スラブ１０へ伝わった振動が該床スラブを経て他方の住居空間１２へ伝わる前に前記振動が床スラブ１０から遮音材２２へ伝わる（図１において、左方に位置する住居空間１２で前記床衝撃音が発生した場合における前記振動の伝達経路を矢印２６で示す。）。これにより、前記振動のエネルギーが遮音材２２の振動により消費される。このため、床スラブ１０へ伝わった振動が他方の住居空間１２へ伝わるのを妨げることができ、前記床衝撃音が他方の住居空間１２へ伝搬するのを防止することができる。
【００１８】
遮音材２２の床スラブ１０への取付けは、床スラブ１０の内部にあって該床スラブの上面で露出する、上下方向に伸びるナット２８と、該ナットと螺合され、遮音材２２を上下方向に貫通するボルト３０とによりなされている。遮音材２２は、ボルト３０のナット２８への螺合を解除することにより、床スラブ１０から取り外すことができる。
【００１９】
両住居空間１２が１つの住戸における互いに隣接する２つの部屋である場合、将来、壁１６の位置を変えて前記住戸内の間取りを変更することがある。遮音材２２が床スラブ１０から取外し可能であるため、前記間取りの変更時に遮音材２２を床スラブ１０から取り外して壁１６の位置に応じて移動させることができる。このため、遮音材を新たに用意する必要がなく、遮音材を新たに用意する手間を要することなく前記間取りの変更を効率的に行うことができる。
【００２０】
遮音材２２の床スラブ１０への取付けは、床スラブ１０の内部にあるナット２８と、該ナットと螺合され、遮音材２２を貫通するボルト３０とによりなされている図１に示した例に代え、遮音材２２を上下方向に貫通し、下端部が床スラブ１０に固定されたアンカーボルト（図示せず）と、該アンカーボルトの上端部に螺合されたナット（図示せず）とによりなされていてもよい。この場合、遮音材２２は、前記ナットの前記アンカーボルトへの螺合を解除することにより、床スラブ１０から取り外すことができる。
【００２１】
図２に示すように、遮音材２２は、床スラブ１０の上に互いに隣接して配置された複数のブロック３２からなる。ブロック３２の床スラブ１０への配置を容易にするため、各ブロック３２の重量は、該ブロックを持ち運べる程度の重量であることが望ましい。遮音材２２は、複数のブロック３２からなる図２に示した例に代え、１つのブロック（図示せず）からなるものでもよい。
【００２２】
壁１６の平面形状は、図２に示した例では、一直線状であるが、これに代え、他の形状でもよい。図３に示す例では、壁１６は、第１部分１６ａと、該第１部分に接続された、第１部分１６ａに垂直な第２部分１６ｂと、該第２部分に接続された、第２部分１６ｂに垂直な第３部分１６ｃとからなり、遮音材２２は、壁１６の平面形状と対応する平面形状を有する。この場合においても、遮音材２２は、壁１６の幅方向に伸び、該壁の幅に相当する長さを有する。
【００２３】
一方の住居空間１２で発生した床衝撃音が他方の住居空間１２へ伝搬するのを防止する遮音方法は、住居空間１２の境界部分における各住居空間１２において、帯状の平面形状を有するコンクリートからなる遮音材２２を、該遮音材が前記境界線の伸長方向に伸びるように床スラブ１０に取外し可能に取り付ける。その後、各住居空間１２において床板２０を、該床板が遮音材２２の上方に位置するように床スラブ１０に支持具１８を介して支持する。
【００２４】
上記の例では、壁１６が床スラブ１０の上に設けられており、床板２０が壁１６の両側に存在するが、これに代え、一方の住居空間１２における床板２０と他方の住居空間１２における床板２０とが連続しており、壁１６が床板２０の上に設けられていてもよい。
【図面の簡単な説明】
【００２５】
【図１】本発明に係る建物の縦断面図。
【図２】図１の線２における建物の水平断面図。
【図３】本発明の他の実施例に係る建物の水平断面図。
【符号の説明】
【００２６】
１０    床スラブ
１２    住居空間
１４    建物
１６    壁
１８    支持具
２０    床板
２２    遮音材
３２    ブロック
【図１】
0005088182.tif 000002
【図２】
0005088182.tif 000003
【図３】
0005088182.tif 000004